(57)【特許請求の範囲】
【請求項１】
支持具と吊掛具を有し、支持具は、挿入孔を設けた基体の中に可動の抜止具と、係合部を設けた伝達具とを有し、抜止具は、伝達具によって動かされて挿入孔の一部を閉塞する閉塞部を有して成り、吊掛具は、引掛部を設けると共に、一端部に、挿入孔から挿入可能な挿入部を設け、挿入部には、伝達具の係合部に係合させて回動することによって伝達具を動かすことができる駆動部を設けて成る吊掛装置において、伝達具は、支持具に回動可能に取り付けられると共に、略楕円状の案内部を設けて成り、抜止具は、支持具に摺動可能かつ回動不能に取り付けられると共に、伝達具の案内部に係合して摺動される受動部を設けて成り、吊掛具の駆動部が伝達具を回動し、伝達具の案内部が受動部を介して抜止具を摺動して閉塞部が挿入孔の一部を閉塞することによって挿入部を抜け止めし、吊掛具を支持具に支持できるようにしたことを特徴とする吊掛装置。
【発明の詳細な説明】
【技術分野】
【０００１】
本発明は、主に、室内の天井に取り付けて、物干具や観葉植物や絵画等を吊り下げて使用する吊掛装置に関するものである。
【背景技術】
【０００２】
従来より、前述のような吊掛装置として特開平６−１２１７２５号公報に記載された発明があるが、この第１の実施例においては、支持具１の基体２の下半体４に楕円形の案内溝４ｂを設け、伝達具６の一端面側には、挿入凹部６ａを挟んで両側に低くなった部分が形成され、そこに抜止具５・５が摺動可能に係合している。抜止具５は、下側に突出する突起５ｂを設けてあり、この突起５ｂは下半体４の案内溝４ｂに係合するようになっている。この抜止具５は、伝達具６と共に回動すると突起５ｂと案内溝４ｂの係合により摺動され、閉塞部５ａが下半体４の挿入孔４ａの一部を閉塞するようになっている（段落０００７及び段落０００９参照）。
【０００３】
また、第３の実施例においては、ピニオンギアである伝達具を回動すると、ラックギアを設けた抜止具が摺動して挿入孔の一部を閉塞するように構成されている（段落００２６参照）。
【特許文献１】特開平６−１２１７２５号公報
【発明の開示】
【発明が解決しようとする課題】
【０００４】
上記前者の従来例においては、抜止具５・５が回動して摺動するようになっているので、吊り下げられている吊掛具１１に洗濯物等が吊り下げられている状態で、風等で洗濯物等を回転する力が加わった時に、吊掛具１１が回動し、吊掛具１１の挿入部１１ａと抜止具５・５の閉塞部５ａとの摩擦により、抜止具５・５も回動して開放する方向に摺動してしまい、洗濯物等を吊り下げられている吊掛具１１が落下する事故が起こることがあるという問題がある。
【０００５】
また、後者の従来例においては、吊り下げられている吊掛具３０が斜めになって、挿入部３０ａが抜止具２５・２５を押し広げる力が働くと、ラック＆ピニオンでは構造的に受け止める作用がなく、前者の従来例と同様に、抜止具２５・２５が開放する方向に摺動して吊掛具３０が落下するという事故が起こることがあるという問題がある。また、抜止具２５・２５を振り分けるねじりコイルばね２９・２９の力を強くすれば、抜止具２５・２５が開放する方向に摺動しにくくなるが、着脱の操作に大きな力が必要となり、支障があるという問題がある。
本発明は、着脱の操作性を犠牲にすることなく、洗濯物等を吊り下げられている吊掛具が容易に落下しないようにすることを課題とするものである。
【課題を解決するための手段】
【０００６】
上記課題を解決するために、支持具と吊掛具を有し、支持具は、挿入孔を設けた基体の中に可動の抜止具と、係合部を設けた伝達具とを有し、抜止具は、伝達具によって動かされて挿入孔の一部を閉塞する閉塞部を有して成り、吊掛具は、引掛部を設けると共に、一端部に、挿入孔から挿入可能な挿入部を設け、挿入部には、伝達具の係合部に係合させて回動することによって伝達具を動かすことができる駆動部を設けて成る吊掛装置において、伝達具は、支持具に回動可能に取り付けられると共に、略楕円状の案内部を設けて成り、抜止具は、支持具に摺動可能かつ回動不能に取り付けられると共に、伝達具の案内部に係合して摺動される受動部を設けて成り、吊掛具の駆動部が伝達具を回動し、伝達具の案内部が受動部を介して抜止具を摺動して閉塞部が挿入孔の一部を閉塞することによって挿入部を抜け止めし、吊掛具を支持具に支持できるようにして成るものである。
【発明の効果】
【０００７】
以上のように本発明によれば、本発明においては、抜止具は摺動するだけで回動せず、なおかつ、抜止具の受動部が伝達具の略楕円状の案内部に係合して摺動されるように構成されているので、吊掛具を着脱する操作性を良好に保ちながら、洗濯物等を吊り下げられている吊掛具が容易に落下しないようにすることができるという効果がある。
【実施例１】
【０００８】
支持具１は、周縁に鍔部１４を有し、鍔付き帽子を上下逆にしたような形状の基体２の中に、抜止具４、伝達具５及び振り分けばね６を内蔵し、裏面に蓋体３を被せ、表面にカバー７を被せて成るものである。
【０００９】
基体２には、底板の内面に直線溝の誘導部１０を設け、この誘導部１０の中央に円形の貫通孔の挿入孔９を設けてある。鍔部１４には、相対向する２箇所に取付孔１５・１５を設け、その中間に円柱状の突起１６を設けてある。基体２には、取付孔１５・１５に挿通する取付ねじを隠して美観を向上させるために、カバー７を被せるようになっている。
【００１０】
抜止具４は、中央側を円弧状に切り欠いて閉塞部１１を形成し、反対側には上方に突出する受動部１２を設けてあり、２つを一組として基体２の誘導部１０に、それぞれの閉塞部１１・１１を対向するように、摺動可能に設けられる。
【００１１】
伝達具５は、略短円柱状で、基体２の中に回動可能に収容され、一面側に楕円形状溝の案内部１３を設けると共に、その中央に円形の挿入凹部１８を設けてある。さらに、挿入凹部１８の底面中央には六角形に突出している係合部１９を設けてある。また、他面側には、一部切り欠いて一段低い面を形成してあり、そこに突起１７を設け、振り分けばね６の一端が取り付けられるようになっている。この振り分けばね６は、他端が基体２の突起１６に取り付けられ、伝達具５を回動した時、中間点を境にして振り分けるものである。
【００１２】
一対の抜止具４・４の受動部１２・１２は伝達具５の案内部１３に係合するようになっており、伝達具５が回動すると、案内部１３と受動部１２・１２の係合により、抜止具４・４は摺動され、閉塞部１１・１１が基体２の挿入孔９の一部を閉塞するようになっている。
【００１３】
吊掛具８は、シャフト２０の一端にばね２１を介して略半球形状の挿入部２２を設け、他端にリング状の引掛部２４を設けてある。このばね２１は、吊掛具８を曲げようとする力がかかった場合に、曲がって緩衝するためのものである。挿入部２２の上端の平らな部分には、六角形の孔の駆動部２３を凹設してある。この駆動部２３は、伝達具５の係合部１９と係合する。また、シャフト２０は、パイプに棒部材を挿入してあり、伸縮できるようになっている。なお、引掛部２４は端部ではなく、シャフト２０の中間に設けてもよい。
【００１４】
支持具１を組み立てるには、抜止具４・４を支持具１の基体２の誘導部１０に、受動部１２・１２を上向きに、閉塞部１１・１１を対向するようにして配設し、受動部１２・１２が案内部１３に係合するように、伝達具５を被せ、基体２の突起１６と伝達具５の突起１７に振り分けばね６を取り付けて蓋体３を被着し、天井等に取付ねじで取り付け、最後にカバー７を被着する。
【００１５】
吊掛具８の挿入部２２を基体２の挿入孔９から伝達具５の挿入凹部１８に挿入し、駆動部２３を係合部１９に係合し右に９０度回転させると、伝達具５の案内部１３が抜止具４・４の受動部１２・１２を動かすので、抜止具４・４は誘導部１０に沿って中央に向かって摺動し、その閉塞部１１・１１が挿入孔９の一部を閉塞する。閉塞された挿入孔９は挿入部２２の直径よりも小さくなり、駆動部２３を係合部１９から外して、吊掛具８を下ろすと、挿入部２２が閉塞部１１・１１に抜け止めされ、吊掛具８は支持具１に支持される（図１、図２及び図６の状態）。
【００１６】
この状態では、吊掛具８は、３６０度どの方向にもある程度の角度揺動することができると共に、それ以上の角度揺動してもばね２１が曲がって緩衝するようになっており、吊掛具８に揺動する方向に力がかかった場合でも、支持具１や吊掛具８が容易に壊れないようになっている。そして、吊掛具８が支持具１に支持された状態で引掛部２４に物干具や観葉植物や絵画等を吊り下げて使用したり、間隔を離して２つ取り付けて引掛部２４・２４に物干竿を掛け渡して使用するものである。
【００１７】
不使用時は、引掛部２４を持って吊掛具８を持ち上げ、挿入部２２の駆動部２３を係合部１９に係合させ、左に９０度回転させると、伝達具５の案内部１３が抜止具４・４の受動部１２・１２を動かすので、抜止具４・４は誘導部１０に沿って外方に向かって摺動し、その閉塞部１１・１１が挿入孔９から後退し、挿入孔９の全体が開口し、吊掛具８の挿入部２２を抜き外すことができる（図４、図５及び図７の状態）。
【００１８】
使用時に、吊り下げられている吊掛具８に洗濯物等が吊り下げられている状態で、風等で洗濯物等を回転する力が加わった時に、吊掛具８が回動することがあっても、抜止具４・４は回動しないので開放せず、吊掛具８は落下することがない。
【００１９】
また、吊掛具８に吊り下げられている洗濯物等の重さ等で、抜止具４・４が開放する方向に力を受けても、抜止具４・４の受動部１２・１２は、伝達具５の略楕円状の案内部１３に係合しているので、容易に吊掛具８は抜け落ちることはない。
【図面の簡単な説明】
【００２０】
【図１】使用状態を示す断面図。
【図２】図１のＡ−Ａ線断面図（挿入孔の一部が閉塞している状態の横断面図。ただし吊掛具の挿入部は図示していない。）。
【図３】要部の分解斜視図。
【図４】挿入孔の全体が開口し、吊掛具を支持具から抜き外せる状態の断面図。
【図５】図４のＢ−Ｂ線断面図（挿入孔の全体が開口している状態の横断面図。ただし吊掛具の挿入部は図示していない。）。
【図６】蓋体を外した状態の支持具の平面図（挿入孔の一部が閉塞している状態）。
【図７】蓋体を外した状態の支持具の平面図（挿入孔の全体が開口している状態）。
【符号の説明】
【００２１】
１    支持具
２    基体
４    抜止具
５    伝達具
８    吊掛具
９    挿入孔
１１    閉塞部
１２    受動部
１３    案内部
１９    係合部
２２    挿入部
２３    駆動部
２４    引掛部
【図１】
0004607817.tif 000002
【図２】
0004607817.tif 000003
【図３】
0004607817.tif 000004
【図４】
0004607817.tif 000005
【図５】
0004607817.tif 000006
【図６】
0004607817.tif 000007
【図７】
0004607817.tif 000008